(57)【要約】【課題】交換部材の交換の作業性を向上させることである。【解決手段】処理端末は、第１筐体と、第２筐体と、回転軸と、開口と、装着部と、を備える。前記回転軸は、前記第１筐体及び前記第２筐体を回転可能に連結する。前記開口は、前記第１筐体及び前記第２筐体が前記回転軸を介して閉じられた状態にある場合、前記第２筐体の前記第１筐体側に設けられる。前記装着部は、前記第２筐体の内部に前記開口と対向して設けられ、交換部材を装着する。【選択図】      図２
2019123177.tif 000002
【特許請求の範囲】
【請求項１】
第１筐体と、
第２筐体と、
前記第１筐体及び前記第２筐体を回転可能に連結する回転軸と、
前記第１筐体及び前記第２筐体が前記回転軸を介して閉じられた状態にある場合、前記第２筐体の前記第１筐体側に設けられた開口と、
前記第２筐体の内部に前記開口と対向して設けられた、交換部材を装着する装着部と、
を備える処理端末。
【請求項２】
前記装着部は、前記回転軸側に設けられる請求項１に記載の処理端末。
【請求項３】
前記第２筐体は、
各種動作を制御するエンジン部と、
前記エンジン部により動作を制御される前記交換部材と、
前記装着部を覆うカバーと、
をさらに備える請求項１に記載の処理端末。
【請求項４】
前記交換部材は、螺子により前記装着部に着脱されるＳＳＤである請求項３に記載の処理端末。
【請求項５】
前記第１筐体は、感熱紙を収容する用紙収容部、前記用紙収容部から搬送された感熱紙に印字するヘッド、及び、前記ヘッドの発熱を制御する制御基板をさらに有し、
前記第２筐体は、前記ヘッドと対向するプラテン、情報を表示する表示部、及び、前記表示部に一体に設けられ、タッチ操作を認識する操作部をさらに有する、
請求項３に記載の処理端末。
【発明の詳細な説明】
【技術分野】
【０００１】
本発明の実施形態は、処理端末に関する。
【背景技術】
【０００２】
従来の処理端末として、底面付近にエンジンボードを搭載したエンジン部を有する第１筐体と、上面に情報を表示するディスプレイ及びタッチパネルを有する第２筐体と、第１筐体に対して第２筐体を回転可能に連結する回転軸と、を備えるものが知られている。また処理端末は、例えば、エンジン部にＳＳＤ等の交換部材を備える。
【先行技術文献】
【特許文献】
【０００３】
【特許文献１】特開２０１２−１０８７３２号公報
【発明の概要】
【発明が解決しようとする課題】
【０００４】
本発明が解決しようとする課題は、交換部材の交換の作業性を向上させることである。
【課題を解決するための手段】
【０００５】
実施形態の処理端末は、第１筐体と、第２筐体と、回転軸と、開口と、装着部と、を備える。前記回転軸は、前記第１筐体及び前記第２筐体を回転可能に連結する。前記開口は、前記第１筐体及び前記第２筐体が前記回転軸を介して閉じられた状態にある場合、前記第２筐体の前記第１筐体側に設けられる。前記装着部は、前記第２筐体の内部に前記開口と対向して設けられ、交換部材を装着する。
【図面の簡単な説明】
【０００６】
【図１】実施形態の処理端末の構成であって、第２筐体が第１筐体を覆う閉状態を示す斜視図。
【図２】同処理端末の構成であって、同第２筐体が同第１筐体に対し立設した開状態を示す斜視図。
【図３】同処理端末の構成を示すブロック図。
【図４】同処理端末の底面の構成を示す斜視図。
【図５】同処理端末の背面の構成を示す斜視図。
【図６】同処理端末の構成であって、同処理端末に設けられる開閉センサの位置を示す斜視図。
【図７】図６中ＶＩＩに示すように同処理端末を一部拡大して同開閉センサの構成を示す部分拡大図。
【図８】同処理端末の第１筐体の構成を示す斜視図。
【図９】同処理端末の第２筐体の構成を示す斜視図。
【図１０】同処理端末のヒンジ部の構成を示す斜視図。
【図１１】同ヒンジ部の構成を示す側面図。
【図１２】同処理端末の交換部材の交換作業時に同処理端末に加わる力の一例を示す説明図。
【発明を実施するための形態】
【０００７】
本発明の一実施形態に係る処理端末１を、図１乃至図１２を用いて説明する。
【０００８】
処理端末１を図１乃至図３に示す。図１は、処理端末１の構成であって、第２筐体が第１筐体を覆う閉状態を示す斜視図である。図２は、処理端末１の構成であって、第２筐体が第１筐体に対し立設した開状態を示す斜視図である。図３は、処理端末１の構成を示すブロック図である。以下、処理端末１のヒンジ部２３側を背面側、処理端末１のヒンジ部２３と相対する側を正面側として説明する。
【０００９】
処理端末１は、筐体１０と、プリンタ１１と、表示部１２と、操作部１３と、カードリーダライタ１４と、Ｉ／Ｏ（Input／Output）ポート１５と、開閉センサ１６と、エンジン部１７と、開閉機構１８と、を備える。処理端末１は、例えば、店舗に設置され、買上情報の入力や通信、レシート発行や、クレジットカード等の情報の読み込み等、決済処理を行うＰＯＳ端末である。
【００１０】
図１及び図２に示すように、筐体１０は、第１筐体２１と、第１筐体２１に対して回転する第２筐体２２と、第１筐体２１及び第２筐体２２を回転可能に連結するヒンジ部２３と、を備えている。筐体１０は、第１筐体２１を第２筐体２２が覆うことで、ヒンジ部２３側からヒンジ部２３と相対する側である正面側に向かって上面が下方に傾斜する略矩形箱状に構成される。
【００１１】
図１及び図２に示すように、第１筐体２１は、矩形箱状に構成されるとともに、上面がヒンジ部２３側から正面側に向かって傾斜して構成される。図４乃至図６、図８に示すように、第１筐体２１は、例えば、底面に設置領域に当接する複数の脚２１ａと、複数の補助脚２１ｂと、を有する。本実施形態においては、第１筐体２１は、４つの脚２１ａと、２つの補助脚２１ｂと、を有する。脚２１ａは、摩擦係数の大きい樹脂材料、例えばゴムにより形成され、設置領域に当接することで第１筐体２１の滑りを防止する。脚２１ａは、第１筐体２１の正面側に２つ、背面側に２つ配置される。補助脚２１ｂは、第１筐体２１に一体に設けられた突起であり、第１筐体２１の底面であって、第１筐体２１の正面側の脚２１ａと背面側の脚２１ａとの間に配置される。第１筐体２１は、プリンタ１１の構成の一部、Ｉ／Ｏポート１５及び開閉センサ１６等を収容又は保持する。
【００１２】
図１、図３、図６、及び、図９に示すように、第２筐体２２は、プリンタ１１の構成の一部、表示部１２、操作部１３、カードリーダライタ１４及びエンジン部１７を収容又は保持する。第２筐体２２は、矩形板状に構成され、内部にエンジン部１７を収容可能な空間を有する。第２筐体２２は、第１筐体２１の上面を覆うカバーである。
【００１３】
具体例として、第２筐体２２は、上面に表示部１２及び操作部１３を有することで、操作可能な表示ユニットを構成する。図２に示すように、第２筐体２２は、第１筐体２１と対向する面に、開口２２ａ及び螺子２２ｂにより開口２２ａに着脱可能なカバー２２ｃを備える。また、図９に示すように、第２筐体２２は、内部に装着部２２ｄが設けられる。また、図１、図２、図４乃至図６、図９乃至図１１に示すように、第２筐体２２は、両側面の正面側の端部に設けられた吸気口２２ｅと、ヒンジ部２３側である背面側に設けられた排気口２２ｆと、を備えている。また、第２筐体２２は、内部に収容されるエンジン部１７やその他の構成に応じて、吸気口２２ｅから排気口２２ｆまでの空気の流路の一部を構成するパイプ等が適宜設けられる。
【００１４】
図２及び図９に示すように、開口２２ａは、エンジン部１７に設けられる交換可能な交換部材５４を挿通可能な大きさに構成される。開口２２ａは、第２筐体２２の第１筐体２１側の外面部のヒンジ部２３側に配置される。ここで、第２筐体２２の第１筐体２１側の外面部とは、第２筐体２２が第１筐体２１を覆う状態において第２筐体２２と第１筐体２１とが対向したときの、第２筐体２２の第１筐体２１と対向する部位である。また、ここで第２筐体２２が第１筐体２１を覆う状態とは、第２筐体２２及び第１筐体２１が当接し、開閉機構１８によって第２筐体２２が第１筐体２１に固定されることで処理端末１が閉じられた状態である。開口２２ａの周囲には、螺子２２ｂが螺合する螺子穴が設けられる。
【００１５】
図２に示すように、カバー２２ｃは、開口２２ａを覆う。なお、カバー２２ｃは、通風のための孔を有していても良い。カバー２２ｃは、螺子２２ｂにより、開口２２ａに取り付けられる。
【００１６】
図９に示すように、装着部２２ｄは、第２筐体２２の内部であって、開口２２ａと対向する位置に配置される。装着部２２ｄは、エンジン部１７に設けられる交換可能な交換部材５４を着脱可能に構成される。具体例として、装着部２２ｄは、交換部材５４が接続されるアタッチメントや、交換部材５４に挿通した螺子５４ａが螺合する螺子穴を有する。
【００１７】
図６に示すように、吸気口２２ｅは、空気を吸込む開口であり、異物等の侵入を防止可能な開口形状で複数設けられる。なお、吸気口２２ｅの数や形状は、適宜設定可能である。吸気口２２ｅは、第２筐体２２の両側面の正面側の端部に設けられることで、第２筐体２２が第１筐体２１を覆うときに、排気口２２ｆよりも下方に配置される。
【００１８】
図１０に示すように、排気口２２ｆは、異物等の浸入を防止可能な開口形状で複数設けられる。例えば、排気口２２ｆの総開口面積は、吸気口２２ｅの総開口面積以上に設定される。
【００１９】
図１０及び図１１に示すように、ヒンジ部２３は、第１筐体２１に対して第２筐体２２を回転可能な回転軸である。ヒンジ部２３は、例えば、回転軸２３ａを有し、この回転軸２３ａが第１筐体２１又は第２筐体２２の一方に固定され、第１筐体２１又は第２筐体２２の他方に回転軸２３ａを回転可能に保持する軸支部２３ｂが設けられる。また、ヒンジ部２３は、第１筐体２１を設置領域に設置した状態で、第２筐体２２が略重力方向に延びるように立設する開の姿勢と、第１筐体２１を第２筐体２２が覆う閉の姿勢との間で第２筐体２２が第１筐体２１に回転するように、第２筐体２２の回転を規制する。
【００２０】
図２及び図３に示すように、プリンタ１１は、用紙収容部３１と、ヘッド３２と、プラテン３３と、駆動機構３４と、排紙口３５と、制御基板３６と、を備える。プリンタ１１は、ロール紙をプラテン３３によりヘッド３２に供給し、ヘッド３２でロール紙に印字する。例えば、ロール紙は、加熱により発色する一方向に長い帯状の感熱紙が捲回されることで構成される。
【００２１】
図２及び図８に示すように、用紙収容部３１は、第１筐体２１の上部に設けられる。用紙収容部３１は、ロール紙の送り方向が筐体１０のヒンジ部２３側である背面側からヒンジ部２３と相対する側である正面側となるように、ロール紙の軸心が筐体１０の前後方向及び重力方向に対して直交する方向で収容可能に、第１筐体２１の上部が半円柱状に窪むことで構成される。
【００２２】
ヘッド３２は、サーマルヘッドである。図８に示すように、ヘッド３２は、給紙時におけるロール紙の送り方向、即ち、筐体１０の背面側から正面側へ向かう方向に対して直交する幅方向で、部分的に発熱可能に構成される。ヘッド３２は、第１筐体２１の上部であって、用紙収容部３１よりも正面側に配置される。
【００２３】
プラテン３３は、所謂プラテンローラである。図２に示すように、プラテン３３は、第２筐体２２の、第１筐体２１に設けられたヘッド３２と対向する位置に設けられる。プラテン３３は、ヘッド３２との間に感熱紙を挟み込むとともに、駆動機構３４により回転駆動することで、感熱紙を送り方向に沿って搬送する。
【００２４】
駆動機構３４は、例えば、モータや歯車等によって構成され、プラテン３３を一軸周りに回転する。
【００２５】
図１に示すように、排紙口３５は、筐体１０の正面であって、且つ、第１筐体２１及び第２筐体２２の対向する部位に設けられ、ロール紙を排紙する開口である。排紙口３５は、例えば、第１筐体２１に設けられた、ロール紙を切断するカッター等を含む。
【００２６】
図３に示すように、制御基板３６は、ヘッド３２及び駆動機構３４に電気的に接続され、ヘッド３２及び駆動機構３４の動作を制御するコントローラを有する。制御基板３６は、エンジン部１７に電気的に接続され、ヘッド３２の発熱及び駆動機構３４の駆動を制御する。制御基板３６は、第１筐体２１内に配置される。
【００２７】
表示部１２は、例えば、液晶ディスプレイと、液晶ディスプレイの表面を保護するガラスと、を含む。図１及び図６に示すように、表示部１２は、筐体１０の上面を構成する第２筐体２２の外面に配置される。表示部１２は、情報を表示可能に構成される。
【００２８】
操作部１３は、処理端末１を操作するためのキー信号を入力する入力部である。操作部１３は、例えばタッチパネルである。図１及び図６に示すように、操作部１３は、例えば、表示部１２の液晶ディスプレイ及びガラスの間に配置されるか、又は、ガラスに一体に設けられる。操作部１３は、タッチ操作を認識し、タッチ操作による入力信号をエンジン部１７に送信する。なお、操作部１３は、タッチパネルの他にボタン等のハードキーを有していてもよい。
【００２９】
図１に示すように、カードリーダライタ１４は、第２筐体２２の一方の側面に設けられる。カードリーダライタ１４は、カードに記録された情報の読み込み、及び、カードへの情報の書き出しが可能に構成される。ここでカードとは、例えば、クレジットカードやプリペイドカード等の決済カードである。
【００３０】
図５に示すように、Ｉ／Ｏポート１５は、例えば、Ｉ／Ｏ基板に設けられたＵＳＢ等のコネクタである。Ｉ／Ｏポート１５は、周辺機器２００等に接続されるケーブルの端子１００と接続する。
【００３１】
図６及び図７に示すように、開閉センサ１６は、第１筐体２１のヘッド３２近傍に配置され、ヘッド３２にプラテン３３が接触したときに、プラテン３３又はプラテン３３の周辺に設けられた開閉センサ１６を操作する部材により操作される。開閉センサ１６は、操作された情報を信号としてエンジン部１７に送信する。
【００３２】
図９に示すように、エンジン部１７は、基板４１と、基板４１に実装される回路素子４２と、を備える。基板４１は、第２筐体２２内に収容される。また、基板４１は、少なくとも一部が装着部２２ｄを構成し、少なくとも基板４１の装着部２２ｄを構成する部位は、開口２２ａに対向する位置に配置される。回路素子４２は、例えば、プロセッサ５１と、ＲＯＭ５２と、ＲＡＭ５３と、ＳＳＤ５４と、を含む。回路素子４２の一部は、例えば、基板４１に着脱可能に構成される。エンジン部１７は、第２筐体２２内に収容されるとともに、基板４１に着脱可能な一部の回路素子４２が開口２２ａに対向する位置に配置される。
【００３３】
本実施形態においては、基板４１に着脱可能な回路素子４２の一部である交換部材５４として、ＳＳＤ５４が基板４１の装着部２２ｄに着脱可能に構成される。ＳＳＤ５４は、例えば、Ｍ．２タイプであり、螺子５４ａにより基板４１に固定される。なお、交換部材５４は、ＳＳＤ５４に限定されず、他の構成品であってもよいが、交換部材５４は、第２筐体２２の回転方向に押圧される作業を含む工程により基板４１の装着部２２ｄに着脱される。本実施形態においては、交換部材５４は、螺子５４ａにドライバーを押圧した状態でドライバーを回転させることで螺子５４ａを取り外すことで、基板４１の装着部２２ｄに対して着脱可能となる。
【００３４】
図３に示すように、プロセッサ５１は、ＲＯＭ５２、ＲＡＭ５３、ＳＳＤ５４、表示部１２、操作部１３、Ｉ／Ｏポート１５、開閉センサ１６、及び、制御基板３６の有するコントローラに、システム伝送路５５を介して接続される。システム伝送路５５は、アドレスバス、データバス、制御信号線等を含む。プロセッサ５１は、ＲＯＭ５２及びＲＡＭ５３に記憶されたオペレーティングシステム、ミドルウェアおよびアプリケーションプログラムに基づいて、処理端末１としての各種の機能を実現するべく各部を制御する制御部である。
【００３５】
図２、図８、及び、図９に示すように、開閉機構１８は、第１筐体２１に設けられる係合部６１と、第２筐体２２に設けられる被係合部６２と、第１筐体２１の外面に設けられ、係合部６１を操作する操作体６３と、を備える。開閉機構１８は、第２筐体２２が第１筐体２１を覆うことで、係合部６１及び被係合部６２が係合可能に構成される。操作体６３は、操作されることで係合部６１及び被係合部６２の係合を解除する。操作体６３は、例えば、係合部６１に機械的に接続され、押下されたときに係合部６１を被係合部６２と係合した状態から係合を解除する状態に操作するボタンである。
【００３６】
このような処理端末１は、第２筐体２２が第１筐体２１を覆う閉の姿勢、及び、第２筐体２２が第１筐体２１から離間する方向に回転し、略垂直状に配置された開の姿勢の双方において、重心が第１筐体２１を設置面に支持する支持部である４つの脚２１ａのうち、ヒンジ部２３側に配置された２つの脚２１ａよりも、第１筐体２１の正面と背面とを結ぶ方向で中央側に存する。
【００３７】
また、処理端末１は、着脱可能な回路素子４２の一部、例えばＳＳＤ５４は、交換部材５４として基板４１の装着部２２ｄに着脱される。このＳＳＤ５４の交換作業の一例を説明すると、先ず、作業者は、ドライバー等の工具を螺子２２ｂに押しつけて螺子２２ｂを回転し、螺子２２ｂを取り外す。次に、作業者は、第２筐体２２のカバー２２ｃを開口２２ａから取り外して装着部２２ｄを露出させる。これにより、開口２２ａからＳＳＤ５４が露出する。次に、作業者は、ＳＳＤ５４の螺子５４ａに工具を押しつけて、螺子５４ａを回転し、螺子５４ａを取りはずす。その後、作業者は、ＳＳＤ５４を基板４１の装着部２２ｄから取り外し、新たなＳＳＤ５４を基板４１の装着部２２ｄに取り付ける。次いで、螺子５４ａによりＳＳＤ５４を基板４１に固定し、開口２２ａをカバー２２ｃで覆い、カバー２２ｃを螺子２２ｂで固定することで、エンジン部１７が第２筐体２２内に収容される。これにより、ＳＳＤ５４が交換される。
【００３８】
このように構成された処理端末１によれば、第２筐体２２が第１筐体２１から離れる方向に回転することで、第２筐体２２の第１筐体２１側の主面に設けられた開口２２ａを覆うカバー２２ｃが露出する。このため、処理端末１は、第２筐体２２が立設した状態で交換部材５４を着脱することができる。即ち、処理端末１は、第２筐体２２が立設した状態でカバー２２ｃを取り外すことで、開口２２ａ及び装着部２２ｄが露出し、開口２２ａ内に収容されたエンジン部１７の基板４１の一部及び基板４１に設けられた交換可能な交換部材５４であるＳＳＤ５４やメモリ等の回路素子４２の一部が露出するため、交換部材５４を着脱することができる。このように、処理端末１は、交換部材５４を容易に着脱可能である。
【００３９】
また、処理端末１は、開口２２ａ及び装着部２２ｄを第２筐体２２のヒンジ部２３側に設けたことにより、交換部材５４であるＳＳＤ５４と脚２１ａとの距離が近くなることから、カバー２２ｃを固定する螺子２２ｂやＳＳＤ５４を固定する螺子５４ａを押圧したときに生じるヒンジ部２３側の脚２１ａまわりのモーメントが小さくなり、処理端末１の転倒を防止することができる。
【００４０】
以下、図１２を用いて、処理端末１の転倒の防止について説明する。まず、開口２２ａ及び装着部２２ｄの押圧による押圧力Ｆが処理端末１を脚２１ａまわりに回転させようとするモーメントＭｆは、脚２１ａから押圧力Ｆの作用線と垂直に引いた線分の長さＬｆと押圧力Ｆとの積（Ｍｆ＝Ｆ・Ｌｆ）により求められる。また、処理端末１の自重Ｗによる脚２１ａまわりのモーメントＭｗは、脚２１ａから処理端末１の自重Ｗの作用線と垂直に引かれる線分の長さＬｗと処理端末１の自重Ｗとの積（Ｍｗ＝Ｗ・Ｌｗ）により求められる。処理端末１の転倒を防止するには、例えば、モーメントＭｆがモーメントＭｗを超えなければよく、また、モーメントＭｆがモーメントＭｗを超え、処理端末１が若干傾斜したとしても、処理端末１の重心Ｇが脚２１ａから垂直方向に延びる線上を越えなければよい。
【００４１】
ここで、本願の処理端末１は、開口２２ａ及び装着部２２ｄを極力脚２１ａに近い位置に設けたことでモーメントＭｆを小さく抑えることができる。即ち、処理端末１は、開口２２ａ及びカバー２２ｃをヒンジ部２３側に設けたことにより、開口２２ａが設けられた領域内の押圧による脚２１ａまわりのモーメントＭｆが処理端末１の自重による脚２１ａまわりのモーメントＭｗ超えることを抑制できる。これにより、処理端末１は、例えば、交換部材５４やカバー２２ｃの着脱作業において、螺子２２ｂ、５４ａをドライバー等により回転させるときに、第２筐体２２が第１筐体２１から離間する方向に押圧力Ｆが印加されたとしても、処理端末１が転倒することを防止できる。
【００４２】
また、処理端末１は、第２筐体２２が第１筐体２１を覆う姿勢で、吸気口２２ｅ及び排気口２２ｆが第２筐体２２の下端から上端にかけて傾斜した空気の流路を構成するとともに、エンジン部１７が傾斜した第２筐体２２の上方に位置する。これにより、処理端末１は、エンジン部１７が発熱すると、空気が自然対流により傾斜した第２筐体の下端から上端にかけて流れるため、発熱したエンジン部１７を効率よく冷却することができる。また、処理端末１は、エンジン部１７が流路の上端側にあるため、エンジン部１７の冷却により加熱された空気が、ロール紙を収容した用紙収容部３１や、表示部１２の広域にわたって流れることを防ぐことができる。また、処理端末１は、開口２２ａ及び装着部２２ｄを第２筐体２２のヒンジ部２３側に設けたことで、エンジン部１７の発熱に伴う用紙収容部３１に収容されたロール紙の劣化や、表示部１２の広域にわたる発熱を防止することができる。
【００４３】
以上説明した本実施形態に係る処理端末１によれば、交換部材５４を容易に着脱可能であるとともに、交換部材５４の着脱作業において処理端末１が転倒することを防止することができる。
【００４４】
なお、本実施形態は、上述した例に限定されない。例えば、上述した例では、処理端末１は、第１筐体２１の下面に４つの脚２１ａを設ける構成を説明したがこれに限定されない。例えば、処理端末１は、脚２１ａを複数設ける構成であれば、３つであってもよく、また、５つ以上有する構成であってもよい。また、第１筐体２１は、脚２１ａを有さない構成であってもよい。即ち、第１筐体２１は、設置面に当接する支持部を有すれば良く、このため、支持部は幅方向に長い２つの脚２１ａでもよく、また、第１筐体２１の下面から突出する矩形状の突起であってもよい。
【００４５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４６】
１…処理端末、１０…筐体、１１…プリンタ、１２…表示部、１３…操作部、１４…カードリーダライタ、１５…Ｉ／Ｏポート、１６…開閉センサ、１７…エンジン部、１８…開閉機構、２１…第１筐体、２１ａ…脚（支持部）、２１ｂ…補助脚、２２…第２筐体、２２ａ…開口、２２ｂ…螺子、２２ｃ…カバー、２２ｄ…装着部、２２ｅ…吸気口、２２ｆ…排気口、２３…ヒンジ部（回転軸）、２３ａ…回転軸、２３ｂ…軸支部、３１…用紙収容部、３２…ヘッド、３３…プラテン、３４…駆動機構、３５…排紙口、３６…制御基板、４１…基板、４２…回路素子、５１…プロセッサ、５２…ＲＯＭ、５３…ＲＡＭ、５４…交換部材（ＳＳＤ）、５４ａ…螺子、５５…システム伝送路、６１…係合部、６２…被係合部、６３…操作体、１００…端子、２００…周辺機器、Ｆ…押圧力、Ｇ…重心、Ｌｆ…線分の長さ、Ｌｗ…線分の長さ、Ｍｆ…モーメント、Ｍｗ…モーメント、Ｗ…自重。
【図１】
2019123177.tif 000003
【図２】
2019123177.tif 000004
【図３】
2019123177.tif 000005
【図４】
2019123177.tif 000006
【図５】
2019123177.tif 000007
【図６】
2019123177.tif 000008
【図７】
2019123177.tif 000009
【図８】
2019123177.tif 000010
【図９】
2019123177.tif 000011
【図１０】
2019123177.tif 000012
【図１１】
2019123177.tif 000013
【図１２】
2019123177.tif 000014